(57)【要約】【課題】ＢＤ、ＤＶＤ、ＣＤの３メディアに対応するノートパソコン用の薄型光ディスクドライブ、およびそれに搭載する光ピックアップを提供する。【解決手段】光ピックアップは、第１のレーザ光源の光ビームを略平行な光ビームに変換する第１のコリメートレンズと、第２のレーザ光源の光ビームを略平行な光ビームに変換する第２のコリメートレンズと、第２のコリメートレンズを駆動するための駆動機構と、第１のコリメートレンズを透過した光ビームを集光する第１の対物レンズと、第２のコリメートレンズを透過した光ビームを集光する第２の対物レンズと、を備え、第１と第２の対物レンズを光ディスクの半径方向に並べ、第１の対物レンズよりも第２の対物レンズを光ディスク外周方向側へ配置し、第１のコリメートレンズの入射光ビームの進行方向に対して、第２のコリメートレンズの入射光ビームの進行方向を所定の角度傾ける。【選択図】図１
2010073239.tif 000002
【特許請求の範囲】
【請求項１】
第１の波長の光ビームを出射する第１のレーザ光源と、第１のレーザ光源の波長より短い第２の波長の光ビームを出射する第２のレーザ光源と、前記第１のレーザ光源から出射する光ビームを略平行な光ビームに変換する第１のコリメートレンズと、前記第２のレーザ光源から出射する光ビームを略平行な光ビームに変換する第２のコリメートレンズと、前記第２のコリメートレンズに入射する光ビームの進行方向と平行な方向に前記第２のコリメートレンズを駆動するためのコリメートレンズ駆動機構と、前記第１のコリメートレンズにより略平行に変換された光ビームを光ディスクに集光する第１の対物レンズと、前記第２のコリメートレンズにより略平行に変換された光ビームを光ディスクに集光する第２の対物レンズと、を備えた光ピックアップにおいて、
前記第１の対物レンズと前記第２の対物レンズを光ディスクの半径方向に並べて配置し、
前記第１の対物レンズよりも前記第２の対物レンズを光ディスクの外周方向側へ配置したことを特徴とする光ピックアップ。
【請求項２】
請求項１記載の光ピックアップであって、
前記第１のコリメートレンズに入射する光ビームの進行方向と、前記第２のコリメートレンズに入射する光ビームの進行方向とを所定の角度傾けたことを特徴とする光ピックアップ。
【請求項３】
請求項２記載の光ピックアップであって、
前記第１のコリメートレンズに入射する光ビームの進行方向に対して、前記コリメートレンズ駆動機構の移動方向を所定の角度傾けたことを特徴とする光ピックアップ。
【請求項４】
請求項３記載の光ピックアップであって、
前記第１のコリメートレンズに入射する光ビームの進行方向と、前記第１の対物レンズと前記第２の対物レンズを結ぶ方向とが、略直交していることを特徴とする光ピックアップ。
【請求項５】
請求項４記載の光ピックアップであって、前記第２のレーザ光源の波長を４０５ｎｍ帯としたことを特徴とする光ピックアップ。
【請求項６】
請求項５記載の光ピックアップを搭載し、
前記コリメートレンズ駆動機構により前記第２のコリメートレンズの位置制御をするためのコリメートレンズ駆動回路、とを搭載したことを特徴とした光ディスク装置。
【発明の詳細な説明】
【技術分野】
【０００１】
本発明は、特にＢＤ、ＤＶＤ、ＣＤの３メディアに対応する薄型光ディスク装置と、それに搭載する光ピックアップ技術に関する。
【背景技術】
【０００２】
本技術分野の背景技術として、特許文献１では、光ディスクの半径方向に２個の対物レンズを搭載するアクチュエータが記載されている。また特許文献２では、光ピックアップに搭載する２個の対物レンズを小型化する手段が記載されている。文献１では、対物レンズ接線方向に２個の対物レンズを搭載した光ピックアップが記載されている。
【０００３】
【特許文献１】特開２００３−２８１７５８（第９項、図２）三星
【特許文献２】特開２００６−１７２６１０（第１２項、図５）Ｓｏｎｙ
【非特許文献１】Optical  Data  Storage  2006  Topical  Meeting  Conference  Proceedings  WPD3（第３３項、Ｆｉｇ２）
【発明の開示】
【発明が解決しようとする課題】
【０００４】
近年ＣＤ（Compact Disc）、ＤＶＤ（Digital  Versatile  Disc）、ＢＤ（Blu-ray  Disc）などの光ディスクがある。ＣＤ、ＤＶＤ、ＢＤのそれぞれの光ディスクドライブでは、照射されるレーザ光源の波長、光ディスクのカバー層厚、対物レンズのＮＡ（Numerical Aperture）などが異なる。ＣＤとＤＶＤに対応する光ピックアップでは、１個の対物レンズのみ使用するのが一般的である。これは、対物レンズを回折型にすることで、それぞれの波長、ＮＡ、カバー層厚を補償することができていたからである。
【０００５】
ところがＣＤ、ＤＶＤ、ＢＤに対応する光ピックアップにおいて、１個の対物レンズのみを使用することは、実現不可能ではないものの性能上たくさんの問題を抱える。それぞれの波長、ＮＡ、カバー層厚を補償するため対物レンズを回折型にした場合、深溝構造の対物レンズを使用しなければならず、対物レンズの透過効率の劣化が原理的に大きい。特にＣＤの劣化は著しく、対物レンズの透過効率が従来の半分近く劣化するため、従来よりも２倍以上のパワーでレーザ光源を発光させなければならない。このように高いパワーでレーザ光源を発光させることは、レーザ光源の寿命を短くさせるだけでなく、光ディスクドライブの発熱量も増加するため、冷却構造を強化しなければならず、小型化には不利である。さらに、対物レンズで透過しなかった光ビームが不要光となりＰＤ（Photo Detector）に入射し、再生性能やサーボ信号性能を劣化させるなどの問題も発生する。
【０００６】
そこで、ＣＤ、ＤＶＤ、ＢＤに対応する光ピックアップでは、２個の対物レンズを使用することが考えられる。すなわち、先述したＣＤとＤＶＤに対応する光ピックアップに使用していた回折型の対物レンズと、ＢＤ専用の対物レンズを搭載する光ピックアップである。
【０００７】
しかしながら、特にノートパソコンなどに搭載する薄型光ディスクドライブでは、光学部品実装スペースが小さいので、２個の対物レンズを搭載した光ピックアップの光学部品実装は困難である。
【０００８】
さて、特許文献１では、２個の対物レンズとアクチュエータ以外の光学部品の実施例が開示されていない。
【０００９】
特許文献２では、光ディスクの接線方向に並べられた対物レンズに独立に光ディスク半径方向に相当する方向から光ビームを入射しているが、薄型光ディスクドライブでは、半径方向の大きさに制約があるため、特許文献２の構成では、薄型光ディスクドライブに搭載することは不可能であると考える。また光ディスク接線方向に対物レンズを並べて配置する構成では、必ずどちらかの対物レンズがオフトラックするので、トラッキングエラー信号の検出方式で最も一般的な差動プッシュプル方式（以下ＤＰＰ：Ｄｉｆｆｅｒｅｎｔｉａｌ  Ｐｕｓｈ  Ｐｕｌｌ）が使えなくなってしまうという制約が発生する。
【００１０】
特許文献３では、薄型光ディスクドライブにおいて、２個の対物レンズを光ディスクの接線方向に並べて配置された光ピックアップの構成が記載されているが、一旦、ＢＤ、ＤＶＤ、ＣＤの光路を合成し、対物レンズ直下で再び分岐するという構成であるため、２個の分岐素子が必要になる。ＣＤ、ＤＶＤ、ＢＤの各波長における分岐素子は、所望の透過反射率特性を実現することが難しい、共通光路を通るため光学的な軸ずれに弱い、などの問題がある。また、光学部品の反射防止膜は入射する光ビームの波長に依存する。このため、約２倍波長が異なるＢＤとＣＤの共通光路中に配置された光学部品は透過率が悪くなるという問題もある。さらに接線方向に対物レンズを並べて配置しており、ＤＰＰが使用できない制約もある。
【００１１】
本発明は、上記を鑑み、ＢＤ、ＤＶＤ、ＣＤの３メディアに対応するノートパソコン用の薄型光ディスクドライブ、およびそれに搭載する光ピックアップを提供することを目的とする。
【課題を解決するための手段】
【００１２】
上記目的は、その一例として特許請求の範囲に記載の構成により達成できる。
【発明の効果】
【００１３】
本発明によれば、ＢＤ、ＤＶＤ、ＣＤの３メディアに対応した光ディスクドライブと、それに搭載する光ピックアップを薄型化できる。
【発明を実施するための最良の形態】
【００１４】
本発明の各実施例では、ＢＤ、ＤＶＤ、ＣＤの３メディアを想定した例を説明する。しかし本発明の各実施例はＢＤ、ＤＶＤ、ＣＤの３メディアに限定されるものではなく、その他の光ディスク、例えばＨＤ  ＤＶＤなどの光ディスクに適用してもなんら構わない。また、以下、図に示す実施例に基づいて詳細に説明するが、これによりこの本発明が限定されるものでもない。
【実施例１】
【００１５】
本発明における実施例１について図を用いて詳細に説明する。ここでは、ＢＤ、ＤＶＤに対応した薄型光ディスクドライブに搭載する光ピックアップについて説明する。
【００１６】
図１は実施例１における光ピックアップ１の構成を示す概略図である。まずＢＤの光学系について説明する。
【００１７】
ＢＤレーザ光源２から光ビームが発散光として出射される。ＢＤに情報の記録または情報の再生を行うには、一般的に波長３９５ｎｍから４１５ｎｍ帯の半導体レーザを用いるのが一般的であり、ＢＤレーザ光源２からは波長約４０５ｎｍの光ビームを出射するものとする。また半導体レーザは直線偏光の光ビームを出射するのが一般的であり、ＢＤレーザ光源２は本実施例の場合、紙面に平行な面内に偏波面がある直線偏光の光ビームを出射することを想定している。
【００１８】
ＢＤレーザ光源２から出射した光ビームは偏光ビームスプリッタ３を透過した後、反射プリズム４を反射する。その後、ＢＤ偏光回折格子５に入射する。ＢＤ偏光回折格子５は、紙面に平行な直線偏光に対しては、格子面が機能しない特性となっているため、光ビームはBD偏光回折格子５を素通りすることとなる。
【００１９】
BD偏光回折格子５を透過した光ビームはＢＤコリメートレンズ６によって略平行な光ビームに変換される。ＢＤコリメートレンズ６は、BDコリメートレンズホルダ１５に搭載されている。そのBDコリメートレンズホルダ１５はシャフト１１及びシャフト１３を介し、ステッピングモータシャフト１４とは図示しないウォームギアで接続させている。ここでステッピングモータシャフト１４は、ステッピングモータ１６の軸となっており、このステッピングモータ１６の回転を動力として、ステッピングモータシャフト１４を回転させ、レンズホルダ１５を図中矢印方向に駆動することで、ＢＤコリメートレンズ６に入射する光ビームと平行な方向にＢＤコリメートレンズ６を駆動できるBDコリメートレンズ駆動機構１２となっている。
【００２０】
ＢＤコリメートレンズ６を進行した光ビームは、ＢＤ１／４波長板７に入射し偏光状態は円偏光に変換される。ＢＤ１／４波長板７を進行した光ビームはＢＤ立上げミラー８でｚ方向に反射しＢＤ対物レンズ９に入射し、ＢＤのデータ層に集光照射される（データ層図示なし）。ＢＤ対物レンズ９はアクチュエータ１９に搭載されており、アクチュータ固定部１７を基準として図中ｙ方向とｚ方向に駆動させることができる。なお、ｙ方向はトラッキングエラー信号による制御、およびレンズシフト時の駆動に用いられ、ｚ方向はフォーカスエラー信号による制御に用いられる。
【００２１】
データ層で反射した光ビームは、ＢＤ対物レンズ９を透過し、ＢＤ立上げミラー８を反射した後に、ＢＤ１／４波長板７に入射し偏光状態は円偏光から往路と直交する直線偏光に変換される。その後、ＢＤコリメートレンズ６を透過した光は、ＢＤ偏光回折格子５に達する。ＢＤ偏光回折格子では、図示しない複数の格子領域面の形状により、光ビームがいくつかの光ビームに分割され、反射プリズム４を反射した後に、偏光ビームスプリッタ３に至る。偏光ビームスプリッタ３は、復路の紙面に垂直な偏光方向の光をほぼ１００％反射するため、光ビームのほとんどはＢＤ光検出器１０に到達する。
【００２２】
ＢＤはＤＶＤに比べ５倍程度の記憶容量を持ち、ＢＤのデータ層の情報ピットはＤＶＤに比べ小さいものである。このため、これを再生するには、ＤＶＤに比べＢＤのデータ層へ小さい光スポットにする必要がある。その光スポットは、対物レンズのＮＡとレーザ光源の波長に強く依存するだけでなく、往路の倍率（コリメートレンズ６の焦点距離÷対物レンズの焦点距離）にも依存する。この往路倍率を大きくすると集光スポットを小さくできる。このため、ＤＶＤに比べＢＤの光学系では、往路倍率を大きく取る必要がある。一般的な半導体レーザを用い、その出射光ビームを整形しない場合、ＤＶＤでは往路倍率を５倍から７倍程度、ＢＤでは、１０から１４倍程度にすると良い。
【００２３】
ところで、ＢＤではデータ層に集光する光スポットを小さくするため大きなＮＡ（０．８５）の対物レンズを使用する。ところが、カバー層の厚み誤差により発生する球面収差はＮＡの４乗に比例して大きくなるものである。そこでＢＤではこのカバー層の厚み誤差による球面収差を無視できないため、補正する機構を必要としている。球面収差を補正するには、対物レンズに入射する光ビームを平行から弱発散、弱収束にする手段が一般的である。本実施例ではＢＤ対物レンズ９に入射する光ビームを平行から弱発散、弱収束に変換する手段として、ＢＤコリメートレンズ駆動機構を配備し、ＢＤコリメートレンズ６を光軸方向に移動させることで実現している。
【００２４】
球面収差の補正におけるダイナミックレンジ、および補正感度は、ＢＤコリメートレンズ６の焦点距離に依存することが分かっている。つまり、焦点距離が短いとダイナミックレンジが小さく補正感度が高い、逆に焦点距離が長いとダイナミックレンジが大きく補正感度が小さくなる。ＢＤのカバー層の厚み誤差は規格によって決められており、例えば２層ＢＤのカバー層は、７０μｍから１０５μｍの範囲で変化する。ＢＤコリメートレンズ６の焦点距離を長く設定すると、このカバー層の厚み誤差により発生する球面収差を補正するためのダイナミックレンジが大きくなるので、小型化に向かない。逆に焦点距離を短くしすぎると補正感度が高くなりすぎ、より細かいステップでの駆動が要求される。このため、ＢＤコリメートレンズ６の焦点距離は９〜１２ｍｍ程度の範囲にすると良い。
【００２５】
さて次にＤＶＤの光学系について説明する。
【００２６】
２波長レーザ光源２０からは、ＤＶＤ用の６６０ｎｍ波長の光ビームあるいはＣＤ用の７８５ｎｍ波長の光ビームが発散光として出射される。２波長レーザ光源２０からはＤＶＤとＣＤの両方の光ビームが紙面に平行な直線偏光の光ビームを出射することを想定している。
【００２７】
２波長レーザ光源２０から出射したＤＶＤあるいはＣＤの光ビームは１／２波長板２１に入射し、紙面に垂直な方向の直線偏光に変換される。次に回折格子２２に入射する。回折格子２２によりＤＶＤ及びＣＤの光ビームは１本のメイン光ビームと２本のサブ光ビームに分岐される（サブ光ビームの進路は図示無し）。その２本のサブ光ビームは、ＤＰＰ法によるトラッキング誤差信号に利用される。
【００２８】
回折格子２２を通過した光ビームはビームスプリッタ２３を反射したあと、コリメートレンズ２４によって略平行な光ビームに変換される。コリメートレンズ２４を進行した光ビームは１／４波長板２５に入射し円偏光に変換される。１／４波長板２５を進行した光ビームは立上げミラー２６でｚ方向に反射し対物レンズ２７に入射し、ＤＶＤあるいはＣＤのデータ層に集光照射される。対物レンズ２７もアクチュエータ１９に搭載されており、図中ｙ方向とｚ方向に駆動させることができる。
【００２９】
データ層で反射した光ビームは、対物レンズ２７、立上げミラー２６を戻り、１／４波長板２５で偏光方向が紙面に垂直な直線偏光となった後に、コリメートレンズ２４を経て、ビームスプリッタ２３に至る。ビームスプリッタ２３を透過した光ビームは、検出ミラー２８を透過して、光検出器２９に到達する。ここで、検出ミラー２８は、平板を紙面に平行な面内で回転した後に傾けたものであり、光ビームはビームスプリッタ２３を透過するとき非点収差が与えられ、検出ミラーを透過するときに更に非点収差を付与することにより、非点収差方式のフォーカスエラー信号を得ることが可能となっている。光検出器２９に導かれた光ビームは、ＤＶＤあるいはＣＤのデータ層に記録されている情報信号の検出と、トラッキングエラー信号およびフォーカスエラー信号などディスクのデータ層に集光照射された集光スポットの位置制御信号の検出などに使用される。
【００３０】
また、以上説明した光学部品はピックアップケース１８内に納まるように配置されて、光ピックアップ１を構成している。尚、図ではｘ方向は対物レンズ位置での光ディスクのトラック方向と一致している。また、図中に記載したように、図中上側が光ディスク外周方向に相当し、下側が光ディスク内周方向に相当する図とした。
【００３１】
次に、ＢＤとＤＶＤの光ビームが対物レンズの有効径に比べ大きい事について説明する。光ディスクドライブでは所定のトラックに情報を記録、または所定のトラックの情報を再生する場合、光ピックアップを光ディスクの半径方向にシークしてアクセスするだけでなく、対物レンズを搭載したアクチュエータを駆動することで、光ディスクの半径方向に移動させて用いている。アクチュエータを駆動することでこの光ディスクの半径方向に対物レンズを駆動することをレンズシフトと呼び、±０．３ｍｍ程度のレンズシフトをさせるのが一般的である。つまり、対物レンズに入射する光ビームは、光ディスクの半径方向に対物レンズの有効径よりも最低でも±０．３ｍｍ程度大きくしなければならない。上記理由によりＢＤとＤＶＤの光ビームは対物レンズの有効径に比べ大きくなる。
【００３２】
さて、図１に示すように立上げミラー２６に入射する光ビームの進行方向に対して、ＢＤ立上げミラー８に入射する光ビームの進行方向を角度θだけ傾かせている。これはＢＤとＤＶＤの光学部品が並行して並べた場合に、互いに部品が干渉することを回避するため、工夫したものである。
【００３３】
図２は、光ピックアップ１を搭載したノートパソコン用途の薄型の光ディスク装置１０１を図示したものである。図２Ａは光ピックアップ１を最外周に配置させた場合、図２Ｂは光ピックアップ１を最内周に配置させた場合を図示している。
【００３４】
さて、光ディスク装置１０１には、光ディスク５５を回転させるためのスピンドル５１にDVD光ディスク５５が固定されている。また、光ピックアップ１は２本のガイドバー５２及び５３により光ディスク半径方向にアクセスできる構成になっている。
【００３５】
ＤＶＤの最外周を再生する場合、光ピックアップ１から照射される光ビームが、DVD光ディスク５５の最外周のトラックに照射させなければならない。このため、光ピックアップ１の対物レンズ２７を光ディスク５５の最外周のトラックと一致する位置ように、図３Ａのように光ピックアップ１を最外周にアクセスさせなければならない。
【００３６】
このように最外周に光ピックアップをアクセスさせたときに対物レンズ２７がDVD光ディスク５５の最外周のトラックと一致させることが出来ないと、最外周の情報が再生できない。
【００３７】
また、ＢＤの最内周を再生する場合、光ピックアップ１から照射される光ビームが、BD光ディスク５６の最内周のトラックに照射させなければならない。このため、光ピックアップ１のＢＤ対物レンズ９をBD光ディスク５６の最内周のトラックと一致する位置ように、図３Ｂのように光ピックアップ１を最内周にアクセスさせる必要がある。
【００３８】
このように最内周に光ピックアップ１をアクセスさせたときにＢＤ対物レンズ９がBD光ディスク５６の最内周のトラックと一致させることが出来ないと、最内周の情報が再生できない。
【００３９】
次に図３を用いて、光ピックアップに搭載する部品のレイアウト方法について説明する。図３において、部品配置は図１と同じなので、説明を省略する。また、BD光学系を中心に説明する都合上、DVD光学系に関しては、対物レンズ２７以外は図示していない。
【００４０】
上記のように２個の対物レンズを光ディスク半径方向に並べて配置させた場合、最内周と最外周の情報信号をどちらの対物レンズでも再生できるよう、２個の対物レンズ間隔αはできるだけ小さくしなければならない。一方、BDコリメートレンズ６やコリメートレンズ２４はそれぞれが対物レンズで必要とする直径よりも大きな直径の光ビームが必要となるため、対物レンズ間隔αを小さくするために、BD光学系かDVD光学系の少なくともどちらかを相対的に角度θ傾けた配置とする必要があり、図３ではBD系を傾けた配置としている。
【００４１】
BD系を角度θ傾けるメリットとしては、BDコリメートレンズ６の移動ストロークβを確保することができることがあげられる。BDコリメートレンズ６の移動ストロークβを確保するためには、立上げミラー８からBD偏光回折格子５までの間隔をできるだけ大きくとることと同時に、BDコリメートレンズ駆動機構１２のステッピングモータ１６とステッピングモータシャフト１４の全長γも大きく確保することが必要である。
【００４２】
また、BDレーザ光源１及びBD光検出器１０を中心とした図中Aの領域と、ピックアップケース１８とステッピングモータ１６の最近接部Bの領域で、充分に余裕がある配置が必要となる。ピックアップケース１８の外形部には図中傾斜した外形線が両サイドに存在するために、特にBDコリメートレンズ６の移動ストロークを確保し、より薄型のモータを採用するために、モータ径を小さくする一方モータ全長を長くして全長γをできるだけ確保するためには、本実施例のようにＢＤ光学系を５度〜１５度程度傾けることにより、ＢＤコリメートレンズ６の移動方向と並行した移動方向に全長γの方向を合わせるのが非常に有効となる。
【００４３】
尚、本実施例では、２波長レーザ光源を用いて説明したが、ＤＶＤあるいはＣＤ専用のレーザ光源であってもかまわないのは言うまでもない。また、フォーカスエラー信号やトラッキングエラー信号の方式に関しては、特に限定するものではない。
【実施例２】
【００４４】
次に、実施例１で説明したＣＤ、ＤＶＤ、ＢＤの３メディアに対応した光ピックアップを搭載した、光ディスク装置について説明する。
【００４５】
図４に本実施例における光ピックアップを搭載した光ディスク装置の概略ブロック図を示す。光ピックアップ１より検出された信号の一部は光ディスク判別回路１２１に送られる。光ディスク判別回路１２１における光ディスクの判別動作は、光ディスクの基板厚さが点灯している半導体レーザの発振波長に対応したものである場合と、異なる発振波長に対応したものである場合とを比較した場合に、光ピックアップ１より検出された例えばフォーカスエラー信号振幅レベルが前者の場合に大きくなることを利用している。その判別結果はコントロール回路１２４に送られる。さらに、光ピックアップ１により検出された検出信号の一部は、サーボ信号生成回路１２２あるいは情報信号検出回路１２３に送られる。サーボ信号生成回路１２２では、光ピックアップ１で検出された各種信号から光ディスク５５あるいは５６に適したフォーカスエラー信号やトラッキングエラー信号を生成し、コントロール回路１２４に送る。
【００４６】
一方、情報信号検出回路１２３では、光ピックアップ１の検出信号から光ディスク５５あるいは５６に記録された情報信号を検出し再生信号出力端子へ出力する。コントロール回路１２４は、光ディスク判別回路１２１からの信号により光ディスク５５あるいは５６を設定し、それに対応してサーボ信号生成回路１２２にて生成されたフォーカスエラー信号やトラッキングエラー信号に基づいて、対物レンズ駆動信号をアクチュエータ駆動回路１２５に送る。この対物レンズ駆動信号によりアクチュエータ駆動回路１２５は、光ピックアップ１内のアクチュエータ１７を駆動し対物レンズ９あるいは２７の位置制御を行う。また、コントロール回路１２４は、アクセス制御回路１２６により光ピックアップ１のアクセス方向位置制御を行い、スピンドルモータ制御回路１２７によりスピンドルモータ５１を回転制御しディスク５５あるいは５６を回転させる。さらに、コントロール回路１２４は、レーザ点灯回路１２８を駆動することにより、光ピックアップ１に搭載されているレーザ光源２あるいはレーザ光源２０を光ディスク５５あるいは５６に応じて適宜点灯させ、光ディスク装置での記録再生動作を実現している。
【００４７】
また、光ディスク５６がＢＤであった場合、上記情報信号検出回路１２３から生成された情報信号の再生性能（例えば、ジッタや検出信号の振幅）が最良になるようにコントロール回路１２４はコリメートレンズ駆動回路１２９を駆動し、球面収差補正を行う機能も有する。
【００４８】
ここで、光ピックアップから出力された信号から情報信号を再生する情報信号再生部と、情報信号再生部から出力された信号を出力する出力部とを備えることで光ディスクの再生装置を構成することが可能である。また、情報信号を入力する情報入力部と、情報入力部から入力された情報から光ディスクに記録する信号を生成し、光ピックアップに出力する記録信号生成部とを備えることで光ディスクの記録装置を構成することが可能である。
【図面の簡単な説明】
【００４９】
【図１】実施例１における光ピックアップ１の構成を説明する概略図
【図２】実施例１において２個の対物レンズを近づけねければならない理由を説明する概略図
【図３】実施例１において、光ピックアップ１内の部品のレイアウトを説明する図
【図４】実施例１の光ピックアップを搭載した光ディスク装置を説明する図
【符号の説明】
【００５０】
１…光ピックアップ、６…ＢＤコリメートレンズ、９…ＢＤ対物レンズ、１２…ＢＤコリメートレンズ駆動機構、１６…ステッピングモータ、１９…アクチュエータ、２４…コリメートレンズ、２７…対物レンズ
【図１】
2010073239.tif 000003
【図２】
2010073239.tif 000004
【図３】
2010073239.tif 000005
【図４】
2010073239.tif 000006